(57)【要約】【課題】  発音手段と表示手段を有する撮影装置において、三脚等のアタッチメントの装着によって発音手段の発音が妨げられることのない撮像装置を、小型で安価に提供する。【解決手段】  撮影装置本体400に対して収納された収納位置と、突出する突出位置を移動可能な表示手段500と、撮影装置本体400に設けた発音手段700の開口部416とを有する撮影装置で、開口部416に対向する表示手段500の撮影装置本体400の底面414側の端部に、空隙504と空隙の少なくとも片側に凸部505又はリブ514を設けた発音手段700と表示手段500を有する撮影装置。【選択図】  図２
2018077368.tif 000002
【特許請求の範囲】
【請求項１】
撮影装置本体400に対して収納された収納位置と、突出する突出位置を移動可能な表示手段500と、撮影装置本体400に設けた発音手段700の開口部416とを有する撮影装置で、開口部416に対向する表示手段500の撮影装置本体400の底面414方向の端部に、空隙504と空隙504の少なくとも片側に凸部505又はリブ514を設けたことを特徴とする発音手段700と表示手段500を有する撮影装置。
【請求項２】
請求項１に記載の発音手段700の開口部416は空隙504の左右幅に対して、偏心して配置されていることを特徴とする発音手段700と表示手段500を有する撮影装置。
【請求項３】
請求項１又は２に記載の発音手段700は撮影装置本体400の底面414に対して傾斜させて配置されており、
発音手段700の傾斜させた取付面と底面414で囲まれた空間に、発音手段700の開口部416を設けたことを特徴とする発音手段700と表示手段500を有する撮影装置。
【請求項４】
請求項１乃至３のいずれか１項に記載の空隙504の開口部416対向位置にける高さは、開口部416近傍（D）が最も高いことを特徴とする発音手段700と表示手段500を有する撮影装置。
【発明の詳細な説明】
【技術分野】
【０００１】
本発明は、デジタルカメラ等の撮影装置に関する。特にスピーカー等の発音手段と表示手段を有する撮影装置に関する。
【背景技術】
【０００２】
スピーカー等の発音手段と、三脚や一脚などをカメラに取り付けるためのアタッチメント取付部を有するデジタルカメラがある。例えばアタッチメントの一つとして三脚をカメラに装着する場合を説明する。一般的な三脚では、金属や樹脂で出来た剛体のカメラ支持部に雄ねじが回転自在に具備されている。カメラ支持部のカメラ側表面にはコルクや発泡樹脂で出来た弾性部材が接合されている。さらにカメラ支持部の下面には脚部が有る。
【０００３】
一方カメラ側にはアタッチメント取付け部として三脚座が設けられている。三脚座には雌ねじが具備されており、三脚側の雄ねじを三脚座側の雌ねじに螺合させてカメラと三脚が一体化する。一般的なカメラでは、前記三脚座はカメラ正位置における底面に配置されている。一方、スピーカーをカメラ内の底面に向けて音を発するように配置して、カメラ底面外観部に直接前記スピーカーの音を通過させる穴である音通過部を設けると、三脚を装着した時に三脚が、又はテーブル等の平面に置いた時にテーブルが、音通過部を塞いで音が出ない問題が有った。
【０００４】
特許文献１では、スピーカーをカメラの底面に向けてカメラ内部に配置して、音通過部をカメラの背面方向に導くように凹形状で形成し、スピーカー正面と音通過部を孔で繋いだ開示がある。開示されたような比較的カメラ底面から高い背面位置に音通過部が有る場合、カメラ底面に三脚を装着した場合でも、音通過部が三脚に覆われないので、音が出ない問題が解消される場合もあった。
【０００５】
また一方で、特許文献２では、液晶などの表示部を具備した表示手段があり、前記表示手段がカメラ本体の背面部に対して回転可能に配置されたカメラの提案がある。
【先行技術文献】
【特許文献】
【０００６】
【特許文献１】特開２００２-４４５００号公報
【特許文献２】特開２０１４-５９３９７号公報
【発明の概要】
【発明が解決しようとする課題】
【０００７】
特許文献１で、スピーカーの音通過部がカメラ底面に極めて近いカメラ背面部に有る場合、カメラに三脚を装着させた時に、三脚の弾性部材によって音通過部が塞がれて音が出ない問題があった。またカメラをテーブルに置いた時に、テーブルによって音通過部が塞がれて音が出ない問題が有った。さらに特許文献１と、特許文献２を両立させるのは困難があった。
【０００８】
例えば、カメラ背面の音通過部正面に、表示手段が配置されると、表示手段が音通過部を塞ぐため、表示手段の可動位置によって撮影者にスピーカー音が聞こえ難くなる問題があった。逆に、表示手段が音通過部を塞がないようにするために、例えば表示手段をカメラの底面方向とは逆方向に大きく移動させて音通過部から離して配置すると、カメラの高さが大型化する問題があった。
【０００９】
本発明の目的は、発音手段と表示手段を有する撮影装置において、三脚等のアタッチメントの装着やテーブルへの載置によって発音手段の発音が妨げられることのない撮像装置を、小型で安価に提供することである。
【課題を解決するための手段】
【００１０】
上記課題を解決する為に、本発明に係る撮影装置は、撮影装置本体400に対して収納された収納位置と、突出する突出位置を移動可能な表示手段500と、撮影装置本体400に設けた発音手段700の開口部416とを有する撮影装置で、開口部416に対向する表示手段500の撮影装置本体400の底面414方向の端部に、空隙504と空隙504の少なくとも片側に凸部505又はリブ514を設けた発音手段700と表示手段500を有する撮影装置とする。
【発明の効果】
【００１１】
本発明によれば、可動表示手段を有する撮影装置で、三脚等のアタッチメントを取り付けたりテーブルなどに載置した場合でも、発音手段の発生音圧変化の少ない撮影装置を小型で安価に提供出来る。さらに撮影者が撮影時に、発音手段の開口部を不用意に塞がないカメラを提供できる。
【図面の簡単な説明】
【００１２】
【図１】本実施例の撮影装置を正面から見た斜視図  （ａ）表示手段が撮影装置本体に対して収納位置にある斜視図  （ｂ）表示手段が撮影装置本体に対して突出位置にある斜視図
【図２】本実施例の撮影装置を背面から見た斜視図  （ａ）表示手段が撮影装置本体に対して収納位置にある斜視図  （ｂ）表示手段が撮影装置本体に対して突出位置にある斜視図
【図３】表示手段が撮影装置本体に対して収納位置にある断面図  （ａ）表示手段が撮影装置本体に対して収納位置にある開口部416での断面図  （ｂ）表示手段が撮影装置本体に対して収納位置にある開口部416近傍での断面図
【図４】図３の撮影装置に三脚を装着した場合の断面図  （ａ）表示手段が撮影装置本体に対して収納位置にある開口部での断面図  （ｂ）表示手段が撮影装置本体に対して収納位置にある開口部近傍での断面図
【図５】本実施例の他の実施例を示した図  （ａ）表示手段が撮影装置本体に対して収納位置にある斜視図  （ｂ）表示手段が撮影装置本体に対して収納位置にある開口部での断面図  （ｃ）表示手段が撮影装置本体に対して収納位置にある開口部近傍での断面図
【発明を実施するための形態】
【００１３】
以下、本発明の実施形態について、添付図面を参照して詳細に説明する。本実施形態に係る撮影装置として、デジタルカメラを例示する。後述する撮影レンズ402が向く被写体側を正面側と定義して各部の位置関係を説明する。また本発明では、スピーカーを発音手段の一例として説明する。発音手段はスピーカー以外でも構わない。
【００１４】
［実施の形態］
図１、図２を用いて、本実施例の全体の構成を説明する。図１は、本実施例の撮影装置を正面から見た斜視図である。図１（a）は、表示手段500が撮影装置本体400に対して収納位置にある斜視図である。図１（b）は、表示手段500が撮影装置本体400に対して突出位置にある斜視図である。
【００１５】
図１（a）において、400は撮影装置本体である。撮影装置本体400は、撮影者の撮影装置本体400への操作指示入力を受け付け、撮影装置本体400の内部に具備する不図示のC-MOSなどの光電変換素子への露光動作を行う。さらに撮影装置本体400は、露光した画像情報を不図示の画像処理手段によって画像処理したり、不図示の制御手段を用いて画像情報の不図示の記録媒体への記録などを行う。
【００１６】
撮影装置本体400の外装は、前後左右上下6方向の面を６つのカバーで覆われている。撮影装置本体400の正面はフロントカバー401、背面はリアカバー406、左側面は不図示のジャックカバー、右側面はサイドカバー403、上面はトップカバー405、底面はボトムカバー413で覆われている。402は撮影レンズで、撮影装置本体400に具備されたC-MOSなどの不図示の光電変換素子に被写体像を結像させる不図示のレンズや、光量を調節する不図示の絞りや、焦点位置を調整する不図示の焦点位置可変手段などが具備されている。
【００１７】
トップカバー405には、パワーボタン408、及びレリーズボタン412が配置されている。パワーボタン408は撮影装置本体400の電源の入切を切り替えるためのボタンである。撮影者が撮影装置本体400の電源切り状態でパワーボタン408を押下すると電源入状態（または撮影可能状態）となり、撮影装置本体400が電源入り状態でパワーボタン408を押下すると電源切り状態（または撮影不可状態）になる。レリーズボタン412は、撮影レンズ402から被写体光を撮影装置本体400内部の不図示の光電変換素子に所定時間撮り込みを行う指示を撮影装置本体400に与える開始入力ボタンである。
【００１８】
撮影者が撮影装置本体400が電源入り状態でレリーズボタン412を押下すると、撮影装置本体400は撮影レンズ402から被写体光を不図示の光電変換素子に取り込み撮影動作が開始される。
【００１９】
図１（ｂ）において、撮像装置本体400の背面側には、表示手段500が配置されている。表示手段500は表示部503と表示部筐体502で構成されている。表示部503は、撮影レンズ402を用いて得た画像情報や、その他様々な撮影のために必要な情報を表示させるために用いる。表示部503は液晶とバックライトで構成される後述する液晶ユニット513と、液晶ユニット513を保護するガラスで出来た後述する保護ガラス512が接着されて一体となって構成されている。本実施例では表示部503として液晶ユニット513を用いて説明するが、有機ELなど他の表示デバイスであっても構わない。
【００２０】
液晶ユニット513は撮影装置本体400に接続される後述するフレキシブル基板510を介して電気的に接続されており、撮影装置本体400の不図示の制御手段によってバックライトの点灯や液晶に表示する表示内容が制御される。502は樹脂で出来た表示部筺体であり、表示部503の液晶による表示が保護ガラスを通して撮影者に見えるように表示部503前面を開放し、かつ表示部503背面を覆うように表示部503を保持している。表示筺体502は後述する回転ヒンジで撮影装置本体400に回転可能に保持されており、回転ヒンジは撮影装置本体400に対して表示部筺体502の回転するヒンジとして機能する。
【００２１】
図１（a）では、表示手段500は撮影装置本体400に収納された位置にある。図１（ｂ）では表示手段500は、不図示の回転ヒンジで回転して、図１（a）から表示部503の表示方向を180度反転させた撮影装置本体400に対して突出した位置にある。つまり、撮影者は自分を被写体として、いわゆる自分撮りを行う場合に、表示手段500の表示部503で撮影画角を確認することができる。撮影装置本体400に対して表示手段500を回転させる目的は、撮影者の様々な撮影装置の構え方、持ち方に対して、表示手段500の表示部503を撮影者側に向かせて表示部503を撮影者に見易くするためである。
【００２２】
図２は、本実施例の撮像装置を背面から見た斜視図である。図２（a）は、表示手段500が撮影装置本体400に対して収納位置にある斜視図である。図２（b）は、表示手段500が撮影装置本体400に対して突出位置にある斜視図である。
【００２３】
図２（a）において、ボトムカバー413には、撮影装置本体400を置くための底面414を有しており、底面414にアタッチメント取付手段として雌ねじを有した三脚座415が設けられている。さらにボトムカバー413の撮影装置背面側には、後述する発音手段700であるスピーカーの発生音を撮影装置本体400の外部に導く開口部416が複数設けられている。表示手段500には、収納位置において、表示部筺体502の撮影装置本体400の底面414側の端面に空隙504を有している。
【００２４】
図２（a）のように表示手段500が撮影装置本体400に対して収納位置にある時、空隙504は表示部筺体502の下端部に凹形状を成してあり、かつ開口部416を塞がない位置にある。また表示部筐体502下端部の空隙504の両側には、空隙504に対して底面414方向に凸形状を成す凸部505が設けてある。
【００２５】
図２（b）において、表示手段500は撮影装置本体400のリアカバー406に接合する脚部506を左右に有している。脚部506には第一回転ヒンジ507が左右の脚部506に各々設けられている。第一腕部508の下部に第一回転ヒンジ507が回転可能に軸支されている。さらに第一腕部508の上部に、第二回転ヒンジ501が左右に各々設けられている。第二腕部509の下部に第二回転ヒンジ501が回転可能に軸支されている。第二腕部509には、前記表示部筺体502と表示部503が具備されており、表示部503は第二腕部509の撮影装置本体400に対する移動と一致する。
【００２６】
表示部筺体502には係止手段である被係止部511があり、撮影装置本体400のリアカバー406には不図示の弾性部材で係止方向に付勢されている係止手段である係止爪419がある。表示手段500が図2（a）の収納位置に有る時、被係止部511と係止爪419は係止位置にある。係止手段である被係止部511と係止爪419を解除する時は、図2（a）の表示手段500収納位置の空隙504に撮影者が指を掛けて、撮影装置本体400の正面から反対方向に表示手段500を引く。すると第一回転ヒンジ507と第二回転ヒンジ501部中心にそれぞれ第一腕部508と第二腕部509が回転し、被係止部511と係止爪419の係止が解除される。
【００２７】
空隙504は、後述するスピーカーの音の伝搬経路としての機能だけではなく、撮影者が表示手段500を移動させる時の指掛かりとしても機能している。表示部503と撮影装置本体400との電気的な接続はフレキシブル基板510で行われる。
【００２８】
図３は、表示手段500が撮影装置本体400に対して収納位置にある断面図である。図３（a）は、表示手段500が撮影装置本体400に対して収納位置にある開口部416での断面図である。
【００２９】
図３（a）において、スピーカーである発音手段700の最も音を大きく発生させる面を発音手段正面701とする。発音手段700は、発音手段正面701が底面414に対して平行ではない角度Cを持って、ボトムカバー413内面の底面414に向く方向に設置されている。そのため発音手段正面701とボトムカバー413の底面414との間には、一つの隙間417が設けられることになる。さらに隙間417には、前記複数の開口部416が撮影装置本体400の背面方向に向けて貫通している。
【００３０】
図３（a）において、表示部503の液晶ユニット513は液晶パネル516とバックライト517で構成されている。液晶パネル516は表示デバイスの一種である。バックライト517は、液晶パネル516の背面から光を照射して表示内容を撮影者に見えるようにしている。液晶パネル516とバックライト517は前記フレキシブル基板510で撮影装置本体400に接続されている。液晶ユニット513の外形はよりも保護ガラス512の外形が大きい。大きくしている理由は、保護ガラス512を表示部筺体502に貼りつける構造の場合、表示部筺体502との接着部515を保護ガラス512に確保するためである。
【００３１】
表示部筐体502下端部の空隙504の図中Y方向高さは、開口部416近傍の高さDの方が、開口部416より遠い側の高さEよりも大きくなっている（D>E）。これは上述した液晶ユニット513の方が、保護ガラス512よりも外形が小さいことを利用して、表示部筺体502の撮影装置底面414側端部に、空隙504を配置したことにより実現している。空隙504を設けるために追加部品は必要ないので安価で小型を実現可能である。さらに空隙504の開口部416近傍の高さDを大きくできるので、開口部416の対向位置には十分な音通過可能な高さを確保できる。
【００３２】
図３（ｂ）は、表示手段500が撮影装置本体400に対して収納位置にある開口部416近傍での断面図である。具体的には図３（a）のA-Aでの断面図である。空隙504の両側には凸部505が左右にある。図３（ｂ）の左右方向の空隙504の横幅に対して、開口部416は空隙504の横幅方向の左側に片寄って配置されている。配置することの効果は図４（ｂ）で説明する。
【００３３】
以上図３において、開口部416の対向位置には空隙504が設けられており、撮影装置本体400の底面414に対して開口部416近傍では高さD、開口部416から背面方向では高さEの発音手段700の音通路が確保されている。撮影者は、図３（a）のように表示手段500が収納位置にあっても発音手段700からの音を、開口部416と空隙504を通じて良好に聞くことが出来る。
【００３４】
さらに撮影者は、撮影中は表示部503に表示される被写体画像情報等の表示内容を見る必要がある。このため撮影者は、図３（a）にあるような表示手段500が撮影装置本体400に収納されている状態では、表示部503を指や手で覆ってしまうため、表示手段500の空隙504近傍は持たない。故に本実施例の構造は、撮影者が撮影時に、表示手段500の裏側に配置された発音手段700の開口部416を不用意に塞がない配置となっている。
【００３５】
図４は、図３の撮影装置に三脚を装着した場合の断面図である。図４（a）は、表示手段500が撮影装置本体400に対して収納位置にある開口部416での断面図である。三脚300にはカメラを載置するためのカメラ支持部301を有し、撮影装置の底面414に接する面にコルクや発泡樹脂などで出来た弾性部材302が接合されている。
【００３６】
また三脚300のカメラ支持部301には不図示の雄ねじを有しており、該雄ねじを撮影装置本体400の三脚座415へ締めこむと、弾性部材302が撮影装置本体400の底面414と表示手段500の凸部505の形状に合わせて変形する。撮影装置本体400に対して収納位置にある表示手段500の凸部505が、弾性部材302が開口部416方向へ変形して開口部416を塞ぐことを防止している。
【００３７】
図４（ｂ）は、表示手段500が撮影装置本体400に対して収納位置にある開口部416近傍での断面図である。具体的には図４（a）のA-Aでの断面図である。弾性部材302は空隙504の両側にある凸部505で押されるため、凸部の存在しない空隙504の幅方向中心部分では弾性部材302が空隙504内に大きく変形する。図４（ｂ）左右方向の空隙504の横幅に対して、開口部416は空隙504の幅方向中心ではなく、開口部416は空隙504の横幅方向の左側に片寄って配置されている。
【００３８】
故に開口部416近傍の弾性部材302の空隙504内への変形量は、空隙504横幅中心位置と比較し、凸部505に近い位置で強く押し込まれているので少ない。故に開口部416は空隙の左右方向の中心に位置するより、凸部505の近傍に寄せて配置した方が、弾性部材302の開口部416方向への倒れ込みが少ないので確実にスピーカーの音通過経路が確保出来る。
【００３９】
以上のように、三脚300を撮影装置本体400に装着された状態においても、三脚300の弾性部材302で開口部416や空隙504が塞がれることなく、開口部416の対向位置には発音手段700の音通路が確保されている。撮影者は、表示手段500が収納位置にあっても発音手段700からの音を、開口部416と空隙504を通じて良好に聞くことが出来る。
【００４０】
図５は、本実施例の他の実施例を示した図である。図５（a）は、表示手段500が撮影装置本体400に対して収納位置にある斜視図である。表示部筺体502の撮影装置底面414を向く下端面には、開口部416正面に空隙504があり、空隙504の両側にはリブ514がある。図５（ｂ）は、表示手段500が撮影装置本体に対して収納位置にある開口部416での断面図である。収納位置にある表示部筐体502のリブ514が、前記凸部505同様に、弾性部材302が開口部416方向へ変形して開口部416を塞ぐことを防止している。
【００４１】
図５（ｃ）は、表示手段500が撮影装置本体400に対して収納位置にある開口部416近傍での断面図である。具体的には図５（ｂ）のA-Aでの横断面図である。弾性部材302は空隙504の両側にあるリブ514で押されるため、前記凸部505同様に、リブ514の存在しない空隙504の幅方向中心部分では弾性部材302が空隙504内に大きく変形する。図5（ｃ）左右方向の空隙504の横幅に対して、開口部416は空隙504の幅方向中心ではなく、開口部416は空隙504の横幅方向の左側に片寄って配置されている。故に開口部416近傍の弾性部材302の空隙504内への変形量は、空隙504横幅中心位置と比較し、リブ514に近い位置で強く押し込まれているので少ない。
【００４２】
以上のように、凸部505のような広い面で弾性部材302を押さなくても、リブ514のように線状に弾性部材を押すだけで、三脚300を撮影装置本体400に装着された状態で、開口部416の対向位置には発音手段700の音通路が確保される。撮影者は、表示手段が収納位置にあっても発音手段700からの音を、開口部416と空隙504を通じて良好に聞くことが出来る。
【００４３】
本件では、撮影装置本体400に装着するアタッチメントの一種として、三脚で説明したが、撮影装置本体400に対してアタッチメント取付手段を用いて接合するアタッチメントであれば何でも構わない。
【００４４】
さらに本件では、アタッチメント取付手段として、三脚300側の不図示の雄ねじ、撮影装置本体400側の三脚座415の雌ねじを用いたねじ接合で説明した。撮影装置本体400にアタッチメントを接合可能な方法であればねじ接合以外でも構わない。
【符号の説明】
【００４５】
300  三脚
301  カメラ支持部
302  弾性部材
400  撮影装置本体
401  フロントカバー
402  撮影レンズ
403  サイドカバー
405  トップカバー
406  リアカバー
408  パワーボタン
412  レリーズボタン
413  ボトムカバー
415  三脚座
416  開口部
417  隙間
419  係止爪
500  表示手段
501  第二回転ヒンジ
502  表示部筺体
503  表示部
504  空隙
505  凸部
506  脚部
507  第一回転ヒンジ
508  第一腕部
509  第二腕部
510  フレキシブル基板
511  被係止部
512  保護ガラス
513  液晶ユニット
514  リブ
515  接着部
516  液晶パネル
517  バックライト
700  発音手段
701  発音手段正面
【図１】
2018077368.tif 000003
【図２】
2018077368.tif 000004
【図３】
2018077368.tif 000005
【図４】
2018077368.tif 000006
【図５】
2018077368.tif 000007